【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
台紙上に印刷済みラベルを多数連続して仮着したロール状のラベル連続体を、繰り出し方向に抵抗を作用させて保持するラベル装填部と、ラベル装填部から繰り出したラベル連続体の台紙を転向させて、ラベルが自身の剛性により台紙から剥離するのを助成する転向部と、転向した台紙を牽引するモータを駆動源とした巻取部と、台紙から剥離したラベルの印刷面側に位置する回転体のラベル貼着部と、台紙から剥離したラベルの有無を検出するラベル有無検出手段と、ラベル貼着部によってラベルの剥離した部分を被貼着部に押し付け、ラベル側の被貼着物とを相対移動させてラベルを被貼着物に貼着する時に、または、ラベルが手で引き出されている時に、ラベルが台紙から完全に剥離するまでの間のラベルの繰り出しに追従する台紙の断続的な弛みを検出する台紙弛み検出手段と、台紙弛み検出手段が台紙弛み検出出力を発生している時にモータを駆動して巻取部により台紙を牽引させ、また、ラベル有無検出手段がラベル無し検出出力を発生している時もモータを駆動させる制御回路と、更に、ラベル有無検出手段がラベル有り検出出力状態に反転してもモータの駆動を継続させ、且つその継続させる時間を調整可能なタイマー回路とから成ることを特徴とするラベル貼着機。
【請求項２】
転向部が、転向部支持部材の一端に保持されていると共に、付勢力を与えられて全体に変位できように配置され、台紙が弛んだ時にその変位をして、台紙弛み検出手段のための弛み信号を発生することを特徴とする請求項１に記載のラベル貼着機。
【請求項３】
台紙の転向により台紙から剥離したラベルを支えるラベル仮受部を、転向部とラベル貼着部との間に配置し、該転向部を変位方向でのラベル仮受部側へ寄せた状態で固定すると共に、台紙弛み検出手段の出力を、反弛み検出出力状態に固定することができることを特徴とする請求項２に記載のラベル貼着機。
【手続補正２】
【補正対象書類名】明細書
【補正対象項目名】０００１
【補正方法】変更
【補正の内容】
【０００１】
【発明の属する技術分野】
本発明は、ロール状のラベル連続体における印刷済みのラベルを、被貼着物に被貼着物との相対移動により貼着する、または手で剥がして被貼着物との相対移動により貼着することができるラベル貼着機に関するものである。
【手続補正３】
【補正対象書類名】明細書
【補正対象項目名】０００５
【補正方法】変更
【補正の内容】
【０００５】
【課題を解決するための手段】
本発明のラベル貼着機は、台紙上に印刷済みラベルを多数連続して仮着したロール状のラベル連続体の台紙を、転向部を通過した下流側でモータを駆動源とする巻取部で牽引させるようにし、更に、台紙から剥離したラベルの有無を検出するラベル有無検出手段と、ラベル貼着部によってラベルの剥離した部分を被貼着物に押し付け、ラベル側と被貼着物とを相対移動させてラベルを被貼着物に貼着する、またはラベルを手で引っ張り出した時に、ラベルが台紙から完全に剥離するまでの間のラベルの繰り出しに追従する台紙の弛みを検出する台紙弛み検出手段と、台紙弛み検出手段が台紙弛み検出出力を発生している時にモータを駆動して台紙巻取部により台紙を牽引させ、また、ラベル有無検出手段がラベル無し検出出力を発生している時もモータを駆動させる制御回路と、更に、ラベル有無検出手段がラベル有り検出出力状態に反転してもモータの駆動を継続させ、且つその継続させる時間を調整可能なタイマー回路とを備えたものである。
【手続補正４】
【補正対象書類名】明細書
【補正対象項目名】０００７
【補正方法】変更
【補正の内容】
【０００７】
図１は、本発明のラベル貼着機の手前側の側壁を一部取り除いて示した側面図であり、図２は、図１における転向部の拡大説明図であり、図３は、本体側の貼着ローラーとラベル検知板の部分を斜め下から見た拡大斜視図であり、図４は、ボトムカバーの図１，図２で省略している部分も表している先端側の拡大斜視図であり、図５は、図４の一部カバー板を取り除いて示した平面図であり、図６は、本発明のラベル貼着機の制御回路の概略を示す説明図である。
【手続補正５】
【補正対象書類名】明細書
【補正対象項目名】００１２
【補正方法】変更
【補正の内容】
【００１２】
また、ピン支持部材３３は、図２（ａ）に示すように、ボトムカバー３０上で圧縮バネ３４により図の右方へ付勢されており、台紙Ｓが弛んだような時には、右方へ変位して、左端に隣接しているマイクロスイッチ３５への操作を解除して、スイッチのon/off状態を反転させる。
【手続補正６】
【補正対象書類名】明細書
【補正対象項目名】００１６
【補正方法】変更
【補正の内容】
【００１６】
ガイドローラー３９ａは、本体２０側に設けられ、ガイド凸部３９ｂ及びガイドローラー３９ｃは、ボトムカバー３０側に設けられているので、ラベル連続体Ｒ及び台紙Ｓを移送するためのガイドとして役立っている。なお、ガイド凸部３９ｂは、転向ピン３２からガイドローラー３９ｃに向かう台紙Ｓを案内するようにボトムカバー３０において横長に形成されたスリットの下縁である。
【手続補正７】
【補正対象書類名】明細書
【補正対象項目名】００１７
【補正方法】変更
【補正の内容】
【００１７】
貼着ローラー２３は、本体２０の先端部に回転可能に取り付けられ、ボトムカバー３０が閉じられた状態で、該カバー３０における先端内面のラベル仮受部３０ｄを通り越した、転向ピン３２のラベル移送の下流側に位置し、剥離移送されて来るラベルの印刷面（反糊面）側を受ける。なお、ボトムカバー３０のラベル仮受部３０ｄは、ラベル移送方向に形成された数条のリブによって構成されている。
【手続補正８】
【補正対象書類名】明細書
【補正対象項目名】００２２
【補正方法】変更
【補正の内容】
【００２２】
このラベル貼着機１０は、初めに巻取ローラー３６の軸３６ａを支点として、ボトムカバー３０を略９０度開いてラベルホルダー３１にラベル連続体Ｒをセットさせる。この時、ラベル連続体Ｒは、ラベルホルダー３１上の図示していないホルダー側ラベル幅ガイドにより該ホルダー３１の中央に置かれる。
【手続補正９】
【補正対象書類名】明細書
【補正対象項目名】００２４
【補正方法】変更
【補正の内容】
【００２４】
次に、先端側ラベル幅ガイド４０の間隔をラベルＬ（台紙Ｓ）の幅に合わせ、ラベル連続体Ｒの先端側を、該幅ガイド４０の間を通しながら転向ピン３２の右外周から回して転向させ、下縁をガイド凸部３９ｂとしているスリットに通し、ボトムカバー３０を閉めてから、ガイドローラー３９ｃを経て、不要なラベルＬを取り除いた台紙Ｓの先端を、巻取ローラー３６と押付ローラー３７との間に差し込むようにする。なお、ボトムカバー３０を閉めると、ラベル連続体Ｒの転向ピン３２から見た上流側の部分がガイドローラー３９ａによってボトムカバー３０側へ押され、台紙Ｓの転向効果を向上させる。
【手続補正１０】
【補正対象書類名】明細書
【補正対象項目名】００２５
【補正方法】変更
【補正の内容】
【００２５】
ラベル連続体Ｒの先端側を転向ピン３２の右外周から端に掛け回しただけでは、図２（ａ）に示すように台紙Ｓのガイド凸部３９ｂから浮いていてラベル連続体Ｒに緊張が無いから、ピン支持部材３３は、が圧縮バネ３４に押されて右方へ変位し、マイクロスイッチ３５は押圧を解除されて、台紙弛みを検出している状態にある。
【手続補正１１】
【補正対象書類名】明細書
【補正対象項目名】００２８
【補正方法】変更
【補正の内容】
【００２８】
ラベル連続体Ｒは、紙管Ｐに対するラベルホルダー３１の弾性部３１ａによる摩擦抵抗を受けているので、台紙Ｓが牽引されることにより緊張して行き、その結果、転向ピン３２で転向する台紙Ｓ上のラベルＬが、自身の剛性により所定の剥離を行い（ラベル有り状態）、そして図２（ｂ）に示すように、台紙Ｓがガイド凸部３９ｂに圧接して緊張が進むと、ピン支持部材３３が圧縮バネ３４の張力（マイクロスイッチ３５におけるピンプランジャの付勢力だけの場合も有る）に抗し左方へ変位してマイクロスイッチ３５を押圧する。
【手続補正１２】
【補正対象書類名】明細書
【補正対象項目名】００４９
【補正方法】変更
【補正の内容】
【００４９】
この種の性質のラベルを使用することが特定されている場合には、転向ピン３２を右方へ寄せて転向ピン３２とラベル仮受部３０ｄとの隙間が一番狭い状態になるようにピン支持部材３３を固定する。
【手続補正１３】
【補正対象書類名】明細書
【補正対象項目名】００５２
【補正方法】変更
【補正の内容】
【００５２】
そこで、スイッチ保持板４１のマイクロスイッチ３５に対する固定を緩め、該スイッチ３５（ピンプランジャ）でピン支持部材３３を右方変位限界位置まで押したところでスイッチ３５を固定すれば、転向ピン３２とラベル仮受部３０ｄとの隙間は一番狭くなり、また、マイクロスイッチ３５は、ピン支持部材３３を押していると云うことは相対的に該部材３３に押されていることになるので、台紙弛み検出回路５０の出力が、台紙緊張を検出している状態と同じに固定される。
【手続補正１４】
【補正対象書類名】明細書
【補正対象項目名】００５６
【補正方法】変更
【補正の内容】
【００５６】
【発明の効果】
本発明のラベル貼着機は、ラベルの物品への貼着途中、またはラベルの手での引っ張り出し途中で台紙が弛むと、その台紙の弛みを検出し、モータを駆動源として台紙を牽引して巻き取り、ラベルの台紙からの剥離を助成するので、その貼着動作、または引っ張り操作が適正に行われ、また、１枚のラベルの物品への貼着が完了する（ラベルがラベル貼着機から離れる）と、次のラベルが反糊面側でラベル貼着部に臨むまで剥離され、且つその剥離量が調整できるので、直ちに適正な貼着待機状態になって、連続した貼着操作が可能である。
また、本発明のラベル貼着機は、ラベルの剥離の途中で弛む台紙を、モータを駆動源とする巻取部で牽引して緊張させる動作が繰り返されるので、長いラベルの場合でもその貼着が適正に行えるものである。
更に、結果的にラベルが台紙から剥離し難いラベル連続体を使用する場合にも、機構上の調整設定を行えば、制御回路を変更することなく容易に対応できるものである。